(57)【要約】【課題】障害物等に三方が囲まれたような狭小な場所に貯湯タンクユニットを据え付ける場合においても、別部品を必要とすることなく、複数の脚を設置面に強固に固定すること。【解決手段】本発明の貯湯タンクユニット１０は、湯を貯留するための貯湯タンクを内蔵し、複数の脚を介して設置面に固定される。複数の脚のうちの少なくとも一部の脚は、設置面に固定可能な下部構成体２と、貯湯タンクユニット１０の底部に固定される上部構成体１とが分解可能に組み合わされた構造となっている。上部構成体１から分離した下部構成体２を設置面に先に固定してから、上部構成体１が底部に固定された貯湯タンクユニット１０を設置面上に置いた後、上部構成体１のツバ部１ｈが下部構成体２の溝部２ｄに挿入するように貯湯タンクユニット１０を前方から後方へ向かってスライドさせ、ボルト３を締結することにより、上部構成体１と下部構成体２とを結合可能である。【選択図】図１８
2011242053.tif 000002
【特許請求の範囲】
【請求項１】
湯を貯留するための貯湯タンクを内蔵し、複数の脚を介して設置面に固定される貯湯タンクユニットであって、
前記複数の脚のうちの少なくとも一部の脚は、前記設置面に固定可能な下部構成体と、前記貯湯タンクユニットの底部に固定される上部構成体とが分解可能に組み合わされた構造となっており、
前記上部構成体から分離した前記下部構成体を前記設置面に先に固定してから、前記上部構成体が底部に固定された前記貯湯タンクユニットを前記設置面上に置いた後、前記下部構成体と前記上部構成体とを結合可能であることを特徴とする貯湯タンクユニット。
【請求項２】
前記下部構成体は、基部と、前記基部上に仮置きされた前記上部構成体を結合位置に案内するガイド部とを有することを特徴とする請求項１記載の貯湯タンクユニット。
【請求項３】
前記上部構成体は、左右両方向にそれぞれ突出するツバ部を有し、
前記下部構成体は、前記ツバ部が挿入可能な溝部を有し、
前記ツバ部が前記溝部に挿入するように前記上部構成体を前記下部構成体に対して相対的にスライドさせることにより、前記上部構成体と前記下部構成体とが合体可能であることを特徴とする請求項１または２に記載の貯湯タンクユニット。
【請求項４】
前記設置面に先に固定された前記下部構成体に対し、前記上部構成体を前記貯湯タンクユニットの前方から後方へ向かってスライドさせることによって両者を合体させる係合部が前記下部構成体および前記上部構成体に設けられていることを特徴とする請求項１乃至３の何れか１項記載の貯湯タンクユニット。
【請求項５】
前記上部構成体と前記下部構成体とをボルトによって締結可能に構成されており、
前記ボルトは、その頭が前記貯湯タンクユニットの前方を向くように配置されることを特徴とする請求項１乃至４の何れか１項記載の貯湯タンクユニット。
【請求項６】
前記上部構成体および前記下部構成体は、それぞれ、金属の板材を加工して製造されたものであり、
前記下部構成体に使用された板材の厚さは、前記上部構成体に使用された板材の厚さ以上であることを特徴とする請求項１乃至５の何れか１項記載の貯湯タンクユニット。
【発明の詳細な説明】
【技術分野】
【０００１】
本発明は、湯を貯留する貯湯タンクを内蔵した貯湯タンクユニットに係り、特に、貯湯タンクユニットを設置面に固定する脚の構造に関する。
【背景技術】
【０００２】
ヒートポンプサイクル等の加熱手段を駆動して沸き上げた湯を貯湯タンクに貯え、風呂、台所などの給湯端末からの要求に応じて、貯湯タンク内の湯を取り出して供給する貯湯式給湯機が広く用いられている。貯湯タンクは、通常、一部の構成機器と共に貯湯タンクユニットとして組み立てられ、この貯湯タンクユニットが据え付け場所に設置される。貯湯タンクユニットは、設置後に貯湯タンクが満水とされた状態では重量物となるため、万一の大きな地震等の際にも転倒したりしないよう、設置面に対し強固に固定する必要がある。
【０００３】
従来、貯湯タンクユニットには、前方に１箇所、後方に２箇所の計３箇所に機体脚が設けられていることが一般的である。そして、貯湯タンクユニットの据え付け場所の基礎コンクリートには、３つの機体脚の位置に合わせて、埋め込み式アンカーボルトを設ける。このアンカーボルトを各機体脚のボルト孔に通し、付属のナットで締結することにより、貯湯タンクユニットを固定する。
【０００４】
しかしながら、主にマンション等の物件において貯湯タンクユニットがパイプスペース等に設置される場合や、集合住宅や戸建て住宅において貯湯タンクユニット専用の設置スペースが予め設けられているような場合であって、貯湯タンクユニットの前面側を除く、右側面、左側面、背面の３面すべてが壁もしくは障害物で囲まれている場合がある。このような場合には、貯湯タンクユニットの前面側から、後方の２箇所の機体脚をアンカーボルトにナットで締め付ける作業を行うことは困難であるので、通常の据え付け方法が不可能となる。
【０００５】
下記特許文献１には、据え付け基礎にスライド基板を予め固定し、このスライド基板と係合する形状のスライド係止板体を貯湯タンクユニットの底部に設け、据え付け基礎に固定されたスライド基板に対して貯湯タンクユニットを手前から奥へスライドさせることによってスライド係止板体とスライド基板とを係合させ、ボルト締めにより両者を係止固定する技術が開示されている。
【先行技術文献】
【特許文献】
【０００６】
【特許文献１】特開２００５−１２７６７０号公報（図５、図６）
【発明の概要】
【発明が解決しようとする課題】
【０００７】
特許文献１に開示された上記の技術では、貯湯タンクユニットの脚部の構造が特殊となるので、通常の方法で据え付ける場合との部品共通化が図れない。また、スライド基板という大きな別部材が必要となるため、コストが増加する。このため、特許文献１に開示されたような技術は、実際にはあまり使用されていない。
【０００８】
従来、狭小な場所に貯湯タンクユニットを据え付ける場合には、実際には、補足部品として脚固定金具を使用し、ナットの締め付け作業が困難である後方の２箇所の機体脚については、その脚固定金具を予めアンカーボルトで設置面に固定しておき、貯湯タンクユニットを手前から奥へスライドさせて機体脚底面の板を脚固定金具と設置面との隙間に嵌め込み、前方の機体脚１箇所をアンカーボルトで固定するという方法がとられている。しかしながら、この方法では、後方の機体脚底面の板が、脚固定金具と設置面との隙間に対し挿入不足となったような場合、固定が万全でないおそれがある。また、脚固定金具を別個に手配しておかなければならないので、煩雑である。
【０００９】
本発明は、上述のような課題を解決するためになされたもので、障害物等に三方が囲まれたような狭小な場所に貯湯タンクユニットを据え付ける場合においても、別部品を必要とすることなく、複数の脚を設置面に強固に固定することを目的とする。
【課題を解決するための手段】
【００１０】
本発明に係る貯湯タンクユニットは、湯を貯留するための貯湯タンクを内蔵し、複数の脚を介して設置面に固定される貯湯タンクユニットであって、複数の脚のうちの少なくとも一部の脚は、設置面に固定可能な下部構成体と、貯湯タンクユニットの底部に固定される上部構成体とが分解可能に組み合わされた構造となっており、上部構成体から分離した下部構成体を設置面に先に固定してから、上部構成体が底部に固定された貯湯タンクユニットを設置面上に置いた後、下部構成体と上部構成体とを結合可能なものである。
【発明の効果】
【００１１】
本発明によれば、障害物等に三方が囲まれたような狭小な場所に貯湯タンクユニットを据え付ける場合においても、別部品を必要とすることなく、複数の脚を設置面に強固に固定することが可能となる。
【図面の簡単な説明】
【００１２】
【図１】本発明の貯湯タンクユニットの実施の形態１を示す斜視図である。
【図２】図１に示す貯湯タンクユニットが備える機体脚を正面側から見た斜視図である。
【図３】図１に示す貯湯タンクユニットが備える機体脚を背面側から見た斜視図である。
【図４】機体脚の上部構成体を正面側から見た斜視図である。
【図５】機体脚の上部構成体を背面側から見た斜視図である。
【図６】機体脚の下部構成体を正面側から見た斜視図である。
【図７】機体脚の下部構成体を背面側から見た斜視図である。
【図８】通常の据え付け方法を説明するための斜視図である。
【図９】通常の据え付け方法を説明するための斜視図である。
【図１０】通常の据え付け方法を説明するための斜視図である。
【図１１】図１０中のｂ部を拡大して示す斜視図である。
【図１２】図１０中のｃ部を拡大して示す斜視図である。
【図１３】下部構成体を分離して先に設置面に固定する据え付け方法を説明するための斜視図である。
【図１４】下部構成体を分離して先に設置面に固定する据え付け方法を説明するための斜視図である。
【図１５】下部構成体を分離して先に設置面に固定する据え付け方法を説明するための斜視図である。
【図１６】下部構成体を分離して先に設置面に固定する据え付け方法を説明するための斜視図である。
【図１７】図１６中のｄ部を拡大して示す斜視図である。
【図１８】下部構成体を分離して先に設置面に固定する据え付け方法を説明するための斜視図である。
【発明を実施するための形態】
【００１３】
以下、図面を参照して本発明の実施の形態について説明する。なお、各図において、同一または相当する部分には同一の符号を付してその説明を適宜に簡略化または省略する。
【００１４】
実施の形態１．
図１は、本発明の貯湯タンクユニットの実施の形態１を示す斜視図である。図１に示す貯湯タンクユニット１０は、直方体状の外装ケースの内部に貯湯タンクが内蔵された構成となっている。図示を省略するが、貯湯タンクは、通常、略円筒形に形成される。ヒートポンプ式の貯湯式給湯機の場合には、このような貯湯タンクユニット１０と、湯を沸き上げるヒートポンプ回路を内蔵したヒートポンプユニット（図示せず）とを組み合わせて使用される。また、貯湯タンクの内部にヒータを備えたヒータ式の貯湯式給湯機の場合には、貯湯タンクユニット１０が単体で貯湯式給湯機を構成する。
【００１５】
貯湯タンクユニット１０は、正面（前面）となる面が予め定められており、所定の向きで据え付け場所に設置される。貯湯タンクユニット１０の底部には、前方に１箇所、後方に２箇所の計３箇所に、機体脚２０が備えられている。貯湯タンクユニット１０は、この３箇所の機体脚２０を介して設置面に固定される。本実施形態では、３箇所の機体脚２０は、同一の構成とされている。ただし、本発明では、貯湯タンクユニット１０に設ける機体脚の数や配置は、図示の構成に限定されるものではない。
【００１６】
図２および図３は、それぞれ、図１に示す貯湯タンクユニット１０が備える機体脚２０を示す斜視図である。図２は正面側から見た図であり、図３は背面側から見た図である。これらの図に示す機体脚２０は、上部構成体１と下部構成体２とが分解可能に組み合わされた構造となっている。上部構成体１に形成されたツバ部（鍔部）１ｈが下部構成体２に形成された溝部２ｄに挿入することによって両部品を結合する（合体させる）ことができる。更に、ボルト３を締結することにより、上部構成体１と下部構成体２との結合状態を確実に保持することができる。また、ボルト３を緩めて取り外し、下部構成体２に対して上部構成体１を相対的に前方向にスライドさせ、溝部２ｄからツバ部１ｈを引き抜くことにより、上部構成体１と下部構成体２とを分離することができる。
【００１７】
後述するように、本実施形態の貯湯タンクユニット１０では、据え付け場所の背面および側面に壁もしくは障害物があり、後方の機体脚２０を通常の方法で設置面のアンカーボルト５０に固定する作業が困難となる場合には、後方の機体脚２０の上部構成体１から下部構成体２を分離し、この分離された下部構成体２を先に設置面のアンカーボルト５０に固定してから、上部構成体１が底部に固定された状態の貯湯タンクユニット１０を設置面上に置いた後に、下部構成体２と上部構成体１とを結合することによって、後方の機体脚２０を設置面に強固に固定することが可能になっている。
【００１８】
本実施形態の上部構成体１および下部構成体２は、それぞれ、金属の板材を所定形状に切り抜き、曲げ加工等を施すことによって製造されたものである。以下、上部構成体１および下部構成体２の各々について詳述する。
【００１９】
図４および図５は、それぞれ、上部構成体１の斜視図である。図４は正面側から見た図であり、図５は背面側から見た図である。これらの図に示すように、上部構成体１は、略直方体形状をなしている。上部構成体１を設置面に平行な平面（水平面）で切断した断面形状は、略「コ」字状であり、前面部１ｃおよび左右の側面部１ｇは閉塞し、背面部の大部分は開放している。また、上部構成体１の上面部１ａは、閉塞した形状となっている。この上面部１ａには、貯湯タンクユニット１０の底部に機体脚２０を固定する際に使用するボルト孔１ｂが複数箇所（本実施形態では３箇所）に設けられている。
【００２０】
図４に示すように、上部構成体１の前面部１ｃの上部には、貯湯タンクユニット１０に機体脚２０を固定するときにその固定状態を目視により確認するための確認用孔１ｄが設けられている。また、前面部１ｃの下部には、ボルト３を貫通させるためのボルト孔１ｅが設けられている。更に、前面部１ｃの最下部には、切欠き部１ｆが設けられている。この切欠き部１ｆは、後述するように、先に下部構成体２をアンカーボルト５０およびナット６０で設置面に固定し、その後に上部構成体１を下部構成体２に対し前方から後方へスライドさせて挿入する際に、アンカーボルト５０の突出部およびナット６０を避けるために形成されている。
【００２１】
上部構成体１の左右両方の側面部１ｇの下部には、それぞれ、外側に向かって水平方向に突出し、前後方向に延びるツバ部１ｈが設けられている。これらのツバ部１ｈは、下部構成体２の溝部２ｄと係合する係合部として機能する（図２および図３のａ部参照）。また、上部構成体１の底部は、下部開口部１ｉによって開放形状となっている。
【００２２】
図６および図７は、それぞれ、下部構成体２の斜視図である。図６は正面側から見た図であり、図７は背面側から見た図である。これらの図に示すように、下部構成体２は、設置面に平行に配置される基部２ａを有している。基部２ａは、前後方向に長い形状になっている。基部２ａのほぼ中央から後方の部分の左右両側からは、基部２ａに対し垂直に立ち上がったガイド部２ｂが設けられている。両ガイド部２ｂは、前後方向に沿って設けられており、互いに平行に対面するように配置されている。また、基部２ａの中央部には、略「コ」字状に形成した切断線の内側の部分を、前面側へ向かって起こすように折り曲げることによって形成された脚結合部２ｃが設けられている。
【００２３】
ガイド部２ｂと基部２ａとの間には、上部構成体１のツバ部１ｈと係合する係合部として機能する、スリット状の溝部２ｄが形成されている。溝部２ｄは、ガイド部２ｂの前端からほぼ中央にまで及ぶように形成されている。両ガイド部２ｂの間の内側寸法は、上部構成体１の左右の側面部１ｇの間の外側寸法に対し、多少の余裕を持って設定されている。ガイド部２ｂは、溝部２ｄに上部構成体１のツバ部１ｈが差し込まれた状態で、上部構成体１を結合位置に案内する機能を有する。
【００２４】
下部構成体２の脚結合部２ｃには、上部構成体１と下部構成体２とを締結するボルト３を貫通させるためのボルト孔２ｅが２箇所に設けられている。ボルト孔２ｅの背面側には、ボルト３を受けるためのナット２ｆが脚結合部２ｃに溶接されている。また、下部構成体２の基部２ａの中央部は、脚結合部２ｃを形成するために基部２ａの中央部が切り起こされたことにより、開口形状をなし、工具差込用孔２ｉを形成している。上部構成体１と下部構成体２と結合した状態では、上部構成体１の下部開口部１ｉと、下部構成体２の工具差込用孔２ｉとが重なる。このため、機体脚２０を貯湯タンクユニット１０の底部に取り付ける際に、下部開口部１ｉと工具差込用孔２ｉとが重なった開口部から工具を差し込み、上部構成体１の上面部１ａのボルト孔１ｂに挿入したボルトを締め付けることができる。
【００２５】
下部構成体２の基部２ａの後部には、アンカーボルト５０を挿通することのできるアンカーボルト孔２ｇが１箇所設けられている。貯湯タンクユニット１０の後方の２箇所の機体脚２０は、このアンカーボルト孔２ｇを使用して設置面に固定される。
【００２６】
脚結合部２ｃより前側の基部２ａには、アンカーボルト５０を挿通することのできるアンカーボルト孔２ｈが１箇所設けられている。前方の１箇所の機体脚２０は、このアンカーボルト孔２ｈを使用して設置面に固定される。
【００２７】
また、後方の２箇所の機体脚２０を通常の方法で固定する作業が困難なために下部構成体２を分離して先に設置面に固定する場合には、アンカーボルト孔２ｇおよびアンカーボルト孔２ｈの双方を使用して設置面に固定することが望ましい。この場合、アンカーボルト孔２ｇおよびアンカーボルト孔２ｈの２箇所で下部構成体２を固定することにより、下部構成体２の回り止めがなされるので、上部構成体１と結合する作業の際に下部構成体２の向きがずれてしまうことをより確実に防止することができる。また、下部構成体２がより強固に固定されるので、貯湯タンクユニット１０をより強固に据え付けることができる。
【００２８】
アンカーボルト孔２ｈは、溝部２ｄに対するツバ部１ｈの挿入寸法以上の長さを前後方向に有する長円形状に形成されている。後方の機体脚２０の下部構成体２を分離して先に設置面に固定した場合には、貯湯タンクユニット１０の底部に固定された後方の機体脚２０の上部構成体１を下部構成体２に対し後ろ方向にスライドさせてツバ部１ｈを溝部２ｄに挿入する。このとき、前方の機体脚２０も同時にスライドするが、アンカーボルト孔２ｈが長円形状とされていることにより、前方の機体脚２０のアンカーボルト孔２ｈにアンカーボルト５０が挿入した状態のままで前方の機体脚２０が後ろ方向にスライド可能であるので、作業を容易に行うことができる。
【００２９】
本実施形態では、貯湯タンクユニット１０が備える機体脚のすべてに上述した分割式の機体脚２０を使用しているが、一部の機体脚のみを分割式の機体脚２０としてもよい。例えば、前方の機体脚については、固定作業が困難となることはないので分割式でない一体型の通常の機体脚を使用し、後方の機体脚のみを分割式の機体脚２０としてもよい。
【００３０】
また、本実施形態の機体脚２０では、構造上、上部構成体１と比べて下部構成体２の方がより高い強度が求められるため、下部構成体２の製造に用いられる板材の厚さを、上部構成体１の製造に用いられる板材の厚さ以上とすることが好ましい。
【００３１】
次に、図８乃至図１２を参照して、貯湯タンクユニット１０の３箇所の機体脚２０を通常の方法で固定可能な場合の据え付け方法について説明する。
【００３２】
まず、図８に示すように、据え付け場所の設置面上の、３箇所の既定のアンカーボルト位置に、アンカーボルト５０を設置する。次いで、図９に示すように、貯湯タンクユニット１０を設置面上に運び、後方２箇所の機体脚２０のアンカーボルト孔２ｇと前方１箇所の機体脚２０のアンカーボルト孔２ｈとに３箇所のアンカーボルト５０がそれぞれ貫通するように位置に合わせて置く。続いて、アンカーボルト５０に付属のナット６０で上記３箇所を締結固定する。図１０は、このようにして貯湯タンクユニット１０を設置面に設置した状態を示している。図１１は、前方の機体脚２０が固定された状態（図１０中のｂ部）を拡大して示す斜視図である。図１２は、後方の機体脚２０が固定された状態（図１０中のｃ部）を拡大して示す斜視図である。貯湯タンクユニット１０の据え付け場所の周辺に障害物等がない場合には、上述した通常の据え付け方法を採用することができる。
【００３３】
次に、図１３乃至図１８を参照して、前面を除く３面に障害物等があり、通常の据え付け方法が困難な場合に採用することのできる据え付け方法について説明する。
【００３４】
図１３に示すように、貯湯タンクユニット１０の後方２箇所の機体脚２０について、下部構成体２を上部構成体１から離脱させる。その離脱方法は、図１４に示すように、まずボルト３を緩めて外し、次に下部構成体２を後方へ引き抜けばよい。この時点で、貯湯タンクユニット１０には、前方の１箇所に組立状態の機体脚２０が取り付けられ、後方の２箇所には上部構成体１のみが取り付けられた状態となっている。
【００３５】
続いて、図１５に示すように、据え付け場所の設置面上にアンカーボルト５０を設置する。下部構成体２を分離して先に設置面に固定する場合には、前述したように、アンカーボルト孔２ｇおよび２ｈの２箇所で下部構成体２を固定することが望ましい。このため、アンカーボルト５０は、後方の２つの機体脚２０用に各々２箇所と、前方の１つの機体脚２０用に１箇所の、計５箇所に設置する。
【００３６】
次いで、図１６に示すように、後方の２つの機体脚２０から分離された下部構成体２を、上述したアンカーボルト５０の位置に合わせて置き、アンカーボルト５０に付属のナット６０で、１つの下部構成体２につき２箇所を締結固定する。図１７は、このようにして設置面に固定された状態の下部構成体２（図１６中のｄ部）を拡大して示す斜視図である。
【００３７】
続いて、貯湯タンクユニット１０を設置面上に運び、図１８に示すように、貯湯タンクユニット１０の底部の後方２箇所に取り付けられている上部構成体１のツバ部１ｈが、設置面に先に固定された下部構成体２の溝部２ｄに奥まで挿入されるように、貯湯タンクユニット１０を前方から後方に向かってスライドさせる。このとき、まず、下部構成体２の脚結合部２ｃより前方へ延びる基部２ａの上に上部構成体１が載るように位置を合わせて貯湯タンクユニット１０を仮置きし、次に貯湯タンクユニット１０を前方から後方に向かってスライドさせることにより、容易に作業を行うことができる。また、前述したように、下部構成体２にガイド部２ｂが設けられていることにより、ツバ部１ｈが溝部２ｄの奥まで挿入される状態となる結合位置へ上部構成体１を円滑に案内することができる。次いで、下部構成体２を離脱させる際に外したボルト３を元の位置に取り付けて締め付けることにより、上部構成体１と下部構成体２とを締結する。このとき、ボルト３の頭は前方を向いているので、ボルト３の取り付け作業や締め付け作業を、障害物等のない前面側から手を差し入れて、容易に行うことができる。最後に、前方１箇所の機体脚２０をアンカーボルト５０に付属のナット６０で締結固定して、据え付けを完了する。
【００３８】
以上説明したように、本実施形態によれば、障害物等に三方が囲まれた狭小な場所に貯湯タンクユニット１０を据え付ける場合においても、脚固定金具等の別部品を必要とすることなく、複数の機体脚２０を強固に固定することができる。また、各機体脚２０を分解することなくそのまま設置面に固定する通常の据え付け方法と、少なくとも一部の機体脚２０の下部構成体２を分離して先に設置面に固定する狭小箇所用の据え付け方法との２通りの据え付け方法を、現場の状況に合わせてその場で選択可能であるので、汎用性が高い。更に、本実施形態では、３箇所の機体脚２０で貯湯タンクユニット１０を支持しているため、貯湯タンクユニット１０の下部ケース下の機体脚２０を除く空間スペースを有効に使用して各種配管等を設置することができ、据え付けの利便性が図れる。
【符号の説明】
【００３９】
１        上部構成体
１ｅ      ボルト孔
１ｇ      側面部
１ｈ      ツバ部
２        下部構成体
２ａ      基部
２ｂ      ガイド部
２ｃ      脚結合部
２ｄ      溝部
２ｅ      ボルト孔
２ｆ      ナット
２ｇ      アンカーボルト孔
２ｈ      アンカーボルト孔
３        ボルト
１０      貯湯タンクユニット
２０      機体脚
５０      アンカーボルト
６０      ナット
【図１】
2011242053.tif 000003
【図２】
2011242053.tif 000004
【図３】
2011242053.tif 000005
【図４】
2011242053.tif 000006
【図５】
2011242053.tif 000007
【図６】
2011242053.tif 000008
【図７】
2011242053.tif 000009
【図８】
2011242053.tif 000010
【図９】
2011242053.tif 000011
【図１０】
2011242053.tif 000012
【図１１】
2011242053.tif 000013
【図１２】
2011242053.tif 000014
【図１３】
2011242053.tif 000015
【図１４】
2011242053.tif 000016
【図１５】
2011242053.tif 000017
【図１６】
2011242053.tif 000018
【図１７】
2011242053.tif 000019
【図１８】
2011242053.tif 000020